(57)【要約】【課題】ガラス枠、化粧枠及び電飾用基板を独立単体として取外せて新しいものと簡単に交換可能にすること。【解決手段】内側に遊技盤を保持した前枠２の所定個所にヒンジ軸２２を垂直に配設する。このヒンジ軸２２に、ブラケット２３，２４によって、化粧枠１６、電飾用基板１８及びガラス枠１９の片端部をそれぞれ回動自在かつ脱着自在に支持する。【選択図】  図４
2004242921.tif 000002
【特許請求の範囲】
【請求項１】
外枠に前後方向に回動自在に取付けられると共に遊技盤を保持する前枠と、前記遊技盤の前側を覆うガラス枠と、前記ガラス枠の前側を覆う化粧枠とを有する弾球遊技機において、
前記前枠又はガラス枠の所定個所にヒンジ軸を配設すると共に、前記ヒンジ軸によって前記ガラス枠と化粧枠の片端部をそれぞれ回動自在かつ脱着自在に支持したことを特徴とする弾球遊技機。
【請求項２】
前記化粧枠に電飾部を設けると共に、前記化粧枠の裏側に配設した電飾部駆動用の基板を、前記ヒンジ軸によって回動自在かつ脱着自在に支持したことを特徴とする請求項１記載の弾球遊技機。
【請求項３】
前記ガラス枠、化粧枠又は基板の少なくとも一つの部材にロック機構を設け、当該一つの部材に残りの部材を前記ロック機構で固定するようにしたことを特徴とする請求項１又は２記載の弾球遊技機。
【発明の詳細な説明】
【０００１】
【発明の属する技術分野】
本発明は、遊技盤の前面を覆うガラス枠やガラス枠の前面側の化粧枠を相互独立に取替可能にした弾球遊技機に関する。
【０００２】
【従来の技術】
パチンコ機、アレンジボール機、雀球機等の弾球遊技機は、ホール島側に固定の外枠に対して遊技盤を保持した前枠が前後方向に回動自在に取付けられ、この前枠の遊技盤前面がガラス枠で覆われている。ガラス枠はその左端部分が前枠に対してヒンジ結合され、このヒンジを中心として前後方向に開閉自在とされている。また、ガラス枠の前面側周縁部は不正防止を兼ねた化粧枠で一般に覆われ、この化粧枠に組込んだ電飾部によってゲーム進行に関連した各種演出がなされるようになっている（特許文献１及び特許文献２参照）。
【０００３】
【特許文献１】
特開平１１−０４７３９１号公報
【特許文献２】
特開平８−１７３６１１号公報
【０００４】
【発明が解決しようとする課題】
従来の弾球遊技機ではガラス枠や電飾用基板が化粧枠の裏面にビスなどで一体的に取付けられていたため、ガラス枠、化粧枠又は電飾用基板を単体で交換することが著しく手間がかかる構造であった。このため、例えば化粧枠はそのままにして基板のみを交換するとか、この反対に基板はそのままにして化粧枠のみを交換するなどして今までとは異なる電飾効果を出そうとしても、基板や前枠の取替に非常な手間がかかった。また、ガラス枠の破損などでガラス枠を交換しなければならない場合もあるが、従来の弾球遊技機ではガラス枠と共に化粧枠や電飾用基板も一括して交換しなければならないタイプが多く、費用的に無駄であるし省資源の観点から問題であった。
【０００５】
本発明はこのような課題を解決すべくなされたものであって、ガラス枠、化粧枠、電飾用基板等の複数の開閉部材を独立単体として取外せて新しいものと簡単に交換可能にすることを目的とする。
【０００６】
【課題を解決するための手段】
前記課題を解決するため本発明の請求項１に係る弾球遊技機は、外枠に前後方向に回動自在に取付けられると共に遊技盤を保持する前枠と、前記遊技盤の前側を覆うガラス枠と、前記ガラス枠の前側を覆う化粧枠とを有する弾球遊技機において、前記前枠又はガラス枠の所定個所にヒンジ軸を配設すると共に、前記ヒンジ軸によって前記ガラス枠と化粧枠の片端部をそれぞれ回動自在かつ脱着自在に支持したことを特徴とする。
【０００７】
このように、前枠又はガラス枠のヒンジ軸でガラス枠と化粧枠の片端部をそれぞれ回動自在かつ脱着自在に支持することで、これらを独立単体として迅速に交換することが可能となる。特に化粧枠は大きな装飾的効果があるから、ガラス枠はそのままにして化粧枠のみを迅速に交換できることは、遊技者に新鮮感を与えてゲームの興趣をより盛り上げる上で有益である。
【０００８】
また、本発明の請求項２に係る弾球遊技機は、前記化粧枠に電飾部を設けると共に、前記化粧枠の裏側に配設した電飾部駆動用の基板を、前記ヒンジ軸によって回動自在かつ脱着自在に支持したことを特徴とする。
【０００９】
これは化粧枠に電飾部がある場合に、その電飾用基板のみを独立して交換可能としたものである。これにより、化粧枠はそのままでも電飾用基板を交換することで異なる電飾効果を発現することが可能となり、設備投資を抑制して電飾部による演出効果を高めることが可能となる。また、従来の電飾用基板は化粧枠とガラス枠に挟まれてその点検が困難であったが、電飾用基板を回動自在としたことで基板に対するアクセスと点検が容易になるという副次的効果もある。
【００１０】
また、本発明の請求項３に係る弾球遊技機は、前記ガラス枠、化粧枠又は基板の少なくとも一つの部材にロック機構を設け、当該一つの部材に残りの部材を前記ロック機構で固定するようにしたことを特徴とする。このようなロック機構を設けることにより、ガラス枠等の複数の開閉部材を一つにまとめて開閉することができて開閉操作が楽になる。
【００１１】
【発明の実施の形態】
以下、本発明の実施の形態を図面を参照しながら説明する。図１〜図７は本発明に係る弾球遊技機の実施の形態を示したものであって、図１及び図２に示すように、本発明の弾球遊技機は島側に固定された外枠１（図３参照）に前後方向に回動自在に取付けられた前枠２を有する。前枠２の内側には遊技盤３が嵌め込まれ、また前枠２の下部前面には上下皿扉体４が取付けられている。この上下皿扉体４は前枠２左側の図示しないヒンジ部を中心として前後方向に開閉自在とされている。
【００１２】
前枠２は外枠１に対して回動自在に取付けられており、詳しくは図３に示すように、外枠１左側上下二箇所にブラケット５，６を介して取付けられたヒンジ筒７とヒンジピン８に対して、前枠２の左側上下二箇所にブラケット９，１０を介して取付けられたヒンジピン１１とヒンジ筒１２が、それぞれ上から下に向かって挿入されている。従って、前枠２を開いた状態では前枠２の全重量がブラケット５，６を介して外枠１に受持たれるようになっている。
【００１３】
前枠２の上部前面には化粧枠１６が取付けられている。この化粧枠１６は樹脂製であって、中央に遊技盤３を見られるように開口部１７が形成されている。この開口部１７の周囲には複数の透明部及び半透明部が形成されており、これら透明部及び半透明部の裏面に発光ダイオードなどの発光体が組込まれて電飾部を構成している。化粧枠１６の裏面には、図２のように化粧枠１６と大部分重なる形状の電飾用基板１８が設けられている。この電飾用基板１８は配線により化粧枠１６の電飾部と遊技盤３の裏面側の制御基板の双方に配線されており、制御基板からの信号に基づいて電飾部の発光体を点滅駆動させるようになっている。電飾用基板１８と遊技盤３との間には、不正防止のためガラス板を２枚重ねにしたガラス枠１９が設けられている。これら２枚のガラス板は金属製の方形ガラス枠１９の側方挿入口からガラス枠１９内に挿入されている。
【００１４】
前枠２の左側前面上下二箇所には、図３のようにブラケット２０，２１が固定され、これら上下のブラケット２０，２１にヒンジ軸２２の上下両端部が支持されている。このヒンジ軸２２は、本実施形態では前枠２のヒンジピン１１とヒンジ筒１２を結ぶ直線Ｌに一致させて配設しているが、ヒンジ軸２２は必ずしもこの直線Ｌに一致させる必要はなく、直線Ｌの近傍にずらして配設してもよい。一方、化粧枠１６、ガラス枠１９及び電飾用基板１８の左端上下二箇所には、図４に示すように金属板をＵ字状に屈曲させたブラケット２３，２４が固定されている。これらブラケット２３，２４は上側のブラケット２３が手前側、すなわち化粧枠１６、ガラス枠１９及び電飾用基板１８側に向かって開口し、下側のブラケット２４が化粧枠１６、ガラス枠１９及び電飾用基板１８側から見て向こう側に開口している。そして上下のブラケット２３，２４がヒンジ軸２２に対して図示の如く脱着自在に係合され、化粧枠１６、ガラス枠１９及び電飾用基板１８が前後方向に回動自在とされている。ブラケット２３，２４は望ましくは適度の強度と弾性を有する金属板で構成し、その際、Ｕ字状の開口幅が自然状態でヒンジ軸２２の直径よりもわずかに狭くなるようにしておくとよい。
【００１５】
ヒンジ軸２２には、図５（Ａ）（Ｂ）ように各ブラケット２３，２４の直下に位置する止めピン２５が、ヒンジ軸２２の直径方向に形成された貫通孔２６にその両端を所定長だけ突出させた状態で嵌合されている。これら止めピン２５はブラケット２３，２４を下支えするものであって、上下の止めピン２５によって化粧枠１６、ガラス枠１９及び電飾用基板１８の重量が支持されるようになっている。なお、この止めピン２５は図６のようにヒンジ軸２２の中間の所定個所に半径方向に拡大形成した段部２２ａに置換えることができる。
【００１６】
化粧枠１６の遊端部近傍の内側上下方向中間部には、図７に示すように、鍵状の二つの係合部２９，３０が化粧枠１６と一体に上下二段で形成されている。一方、ガラス枠１９及び電飾用基板１８の他端部の上下方向中間部には、前記係合部２９，３０の爪２９ａ，３０ａが係合可能な矩形孔３１ａ，３２ａを有する被係合部３１，３２が一つずつ設けられている。そしてガラス枠１９及び電飾用基板１８を化粧枠１６側に接近回動させると、ガラス枠１９及び電飾用基板１８の被係合部３１，３２の矩形孔３１ａ，３２ａに化粧枠１６の係合部２９，３０の爪２９ａ，３０ａが嵌合してガラス枠１９及び電飾用基板１８の他端部が化粧枠１６にロックされるようになっている。
【００１７】
弾球遊技機は以上のように構成され、この弾球遊技機でガラス枠１９、化粧枠１６又は電蝕用基板１８を取替える場合は、まず化粧枠１６を前枠２から手前側に回動させて前枠２のヒンジ軸２２を露出させ、しかる後に化粧枠１６、ガラス枠１９又は電飾用基板１８のうちの取替えたいものの他端側を少し持上げて上側のブラケット２３をヒンジ軸２２から外せばよい。上側のブラケット２３をヒンジ軸２２から外した後は、化粧枠１６、ガラス枠１９又は電飾用基板１８を手前側に移動させるだけで簡単に取り外しができる。新しい化粧枠１６、ガラス枠１９又は電飾用基板１８の取り付けは、取り外しの逆の要領でまず上側のブラケット２３をヒンジ軸２２に裏側から引っ掛けるようにして係合させ、次に下側のブラケット２３をヒンジ軸２２に正面手前側から押し当てるように係合させる。これで取り付けは完了であり、あとは化粧枠１６を閉じて化粧枠１６と前枠２との間の図示しない施錠機構をロックする。化粧枠１６、ガラス枠１９及び電飾用基板１８はヒンジ軸２２によって片持支持された状態のため、上側のブラケット２３はヒンジ軸２２を引く方向、また下側のブラケット２４はヒンジ軸２２を押す方向に力が作用するが、これはブラケット２３，２４の開口の向きと同じ方向なので、化粧枠１６、ガラス枠１９及び電飾用基板１８が傾くことなく安定した支持状態が得られる。
【００１８】
以上、本発明の実施形態について説明したが、本発明はこの実施形態に限定されることなく種々の変形が可能である。例えば前記実施形態では図４のようにヒンジ軸２２にブラケット２３，２４を取付けたが、図８のように軸穴を有するブラケット２３ａ，２４ａを一直線に揃えた状態で１本のヒンジ軸２２をこれらブラケット２３ａ，２４ａの軸穴に貫通させるようにしてもよい。なお、ブラケット２３ａ，２４ａが化粧枠１６、ガラス枠１９及び電飾用基板１８の左端上下二箇所に固定される点や、図５及び図６のようなブラケット下支え用の止めピン２５ないし段部２２ａをヒンジ軸２２に設けること等は前記実施形態とまったく同様である。
【００１９】
また、ヒンジ軸２２がスチール等の磁性体の場合は、図９及び図１０のようにブラケット２３ｂ（２４ｂ）に半円弧状の受面３５を形成し、この受面３５に永久磁石３６を埋設して化粧枠１６、ガラス枠１９及び電飾用基板１８などの開閉部材を磁力でヒンジ軸２２に支持するようにしてもよい。この場合は開閉部材の脱着が極めて容易となる。なお、ヒンジ軸２２の外周面にはブラケット２３ｂ（２４ｂ）の下面を支持するために例えば環状段部３７を形成しておく。
【００２０】
さらに、図１１のように前枠２又はガラス枠１９の所定個所に、開閉自在な複数（図示例は上下各３本合計６本）の円弧状支持腕３８ａの一端を固定した第１プレート３９を固定し、この第１プレート３９に対して、同様の円弧状支持腕３８ｂの一端を固定した第２プレート４０を縦軸４１回りに回動可能に取付け、第２プレート４０を図１１の状態から縦軸４１回りに後方に回動させて円弧状支持腕３８ａ，３８ｂ同士を開いた状態として、この状態で化粧枠１６、ガラス枠１９及び電飾用基板１８等の開閉部材のブラケット２３ｃ，２４ｃの穴４２に円弧状支持腕３８ａ，３８ｂを挿入した後、第２プレート４０を図１１のように元通りにして円弧状支持腕３８ａ，３８ｂ同士を閉じ、図示しないロック機構で第２プレート４０をロックすることで複数の開閉部材を支持するようにしてもよい。このような構成により任意の開閉部材を簡単に着脱交換することが可能となる。
【００２１】
またさらに、例えば前記実施形態では前枠２に１本のヒンジ軸２２を取付け、この１本のヒンジ軸２２に化粧枠１６、電飾用基板１８及びガラス枠１９を取付けたが、ガラス枠１９にヒンジ軸を取付け、このガラス枠１９のヒンジ軸に化粧枠１６や電飾用基板１８等の開閉部材を取付けるようにしてもよい。あるいは、少なくとも２本のヒンジ軸を別々に配設して、それらのヒンジ軸に化粧枠１６、電飾用基板１８及びガラス枠１９をそれぞれ組み合わせて回動自在かつ脱着自在に取付けてもよい。
【００２２】
また、上下皿扉体４は、上皿扉体と下皿扉体の２つの扉に分けて構成してもよい。そして、前記上皿扉体や上下皿扉体４は、化粧枠１６と一体に成形してもよい。かかる場合、前記上皿扉体や上下皿扉体４の内側に開閉自在に取付けられた適宜の扉体も、化粧枠１６、電飾用基板１８及びガラス枠１９と同軸線上に配設してもよい。
【００２３】
【発明の効果】
以上説明したように、本発明に係る弾球遊技機によれば、前枠のヒンジ軸でガラス枠と化粧枠の片端部をそれぞれ回動自在かつ脱着自在に支持することで、これらを独立単体として迅速に交換することが可能となる。特に化粧枠は大きな装飾的効果があるから、ガラス枠はそのままにして化粧枠のみを迅速に交換できることは、遊技者に新鮮感を与えてゲームの興趣をより盛り上げる上で有益である。
【００２４】
また、化粧枠に電飾部がある場合に、その電飾用基板も前記ヒンジ軸に回動自在かつ脱着自在に支持することで、電飾用基板も同様に独立して交換ができ、化粧枠はそのままでも電飾用基板を交換することで異なる電飾効果を発現することが可能となり、設備投資を抑制して電飾部による演出効果を高めることが可能となる。また、従来の電飾用基板は化粧枠とガラス枠に挟まれてその点検が困難であったが、電飾用基板を回動自在としたことで基板に対するアクセスと点検が容易になるという副次的効果もある。
【図面の簡単な説明】
【図１】弾球遊技機の正面図。
【図２】前枠を開いた状態で示す弾球遊技機の斜視図。
【図３】前枠のヒンジ部を示す斜視図。
【図４】ヒンジ軸とこれに取付けたブラケットの斜視図。
【図５】（Ａ）及び（Ｂ）はヒンジ軸とブラケットの横断面図。
【図６】ヒンジ軸の側面図。
【図７】化粧枠、電飾用基板及びガラス枠の係合部と被係合部の関係を示す斜視図。
【図８】ヒンジ軸とこれに取付けたブラケットの変形例の斜視図。
【図９】ヒンジ軸とこれに取付けるブラケットの変形例の斜視図。
【図１０】図９のヒンジ軸とこれに取付けたブラケットの断面図。
【図１１】ヒンジ軸とこれに取付けるブラケットの変形例の斜視図。
【符号の説明】
１              外枠
２              前枠
３              遊技盤
４              上下皿扉体
５，６      ブラケット
７              ヒンジ筒
８              ヒンジピン
９，１０                  ブラケット
１１          ヒンジピン
１２          ヒンジ筒
１６          化粧枠
１７          開口部
１８          電飾用基板
１９          ガラス枠
２０，２１              ブラケット
２２          ヒンジ軸
２２ａ      段部
２３，２４              ブラケット
２５          止めピン
２６          貫通孔
２９，３０              係合部
２９ａ，３０ａ              爪
３１，３２              被係合部
３１ａ，３２ａ              矩形孔
３５      受面
３６      永久磁石
３７      環状段部
３８ａ，３８ｂ        円弧状支持腕
３９，４０    プレート
４１      縦軸
４２      穴
【図１】
2004242921.tif 000003
【図２】
2004242921.tif 000004
【図３】
2004242921.tif 000005
【図４】
2004242921.tif 000006
【図５】
2004242921.tif 000007
【図６】
2004242921.tif 000008
【図７】
2004242921.tif 000009
【図８】
2004242921.tif 000010
【図９】
2004242921.tif 000011
【図１０】
2004242921.tif 000012
【図１１】
2004242921.tif 000013